(57)【特許請求の範囲】
【請求項１】
表示パネルと、該表示パネルの背面に光を照射するバックライトと、該バックライトの動作量を検出する検出手段と、周囲温度の変化に応じて出力信号の周波数が変化する発振素子と、該発振素子の出力信号の周波数に応じて計時処理を行う処理手段とを備える表示装置において、
前記バックライトの動作量と前記処理手段の計時処理の変化を補正する補正量との対応情報を記憶する記憶手段と、
前記検出手段が検出した動作量及び前記対応情報を基に、前記処理手段の計時処理の変化を補正する補正量を算出する算出手段と、
該算出手段が算出した補正量に応じて、前記処理手段の計時処理の変化を補正する補正手段と
を備えることを特徴とする表示装置。
【請求項２】
前記検出手段が検出した動作量と該動作量で前記バックライトが駆動された駆動時間とを対応付けて記憶する記憶手段を備え、
前記算出手段は、所定時間に対する前記駆動時間の割合に応じて各動作量に対する補正量を重み付けし、重み付けされた補正量の合計を算出するようにしてあり、
前記補正手段は、前記所定時間毎に、算出された補正量の合計に応じて前記処理手段の計時処理の変化を補正するようにしてある請求項１に記載の表示装置。
【請求項３】
表示パネルと、該表示パネルの背面に光を照射するバックライトと、該バックライトを駆動するバックライト駆動手段と、周囲温度の変化に応じて出力信号の周波数が変化する発振素子と、該発振素子の出力信号の周波数に応じて計時処理を行う処理手段とを備える表示装置において、
前記バックライト駆動手段による前記バックライトの駆動量と前記処理手段の計時処理の変化を補正する補正量との対応情報を記憶する記憶手段と、
前記バックライト駆動手段の駆動量及び前記対応情報を基に、前記処理手段の計時処理の変化を補正する補正量を算出する算出手段と、
該算出手段が算出した補正量に応じて、前記処理手段の計時処理の変化を補正する補正手段と
を備えることを特徴とする表示装置。
【請求項４】
前記バックライト駆動手段が前記バックライトを駆動した駆動量と該駆動量で前記バックライトが駆動された駆動時間とを対応付けて記憶する記憶手段を備え、
前記算出手段は、所定時間に対する前記駆動時間の割合に応じて各駆動量に対する補正量を重み付けし、重み付けされた補正量の合計を算出するようにしてあり、
前記補正手段は、前記所定時間毎に、算出された補正量の合計に応じて前記処理手段の計時処理の変化を補正するようにしてある請求項３に記載の表示装置。
【請求項５】
前記動作量は、前記バックライトが発する光の輝度であり、
前記検出手段は、前記輝度を検出するようにしてある請求項１又は請求項２のいずれか１つに記載の表示装置。
【請求項６】
前記動作量は、前記バックライトを流れる電流の電流量であり、
前記検出手段は、前記電流量を検出するようにしてある請求項１又は請求項２のいずれか１つに記載の表示装置。
【請求項７】
表示パネルと、該表示パネルの背面に光を照射するバックライトと、該バックライトの動作量を検出する検出手段と、周囲温度の変化に応じて出力信号の周波数が変化する発振素子と、
該発振素子の出力信号の周波数に応じて計時処理を行う処理手段とを備える表示装置にて、前記処理手段の計時処理の変化を補正する補正方法において、
前記バックライトの動作量と前記処理手段の計時処理の変化を補正する補正量との対応情報を予め記憶しておき、
前記検出手段により前記バックライトの動作量を検出し、
検出した動作量に応じて前記対応情報を基に前記処理手段の計時処理の変化を補正すること
を特徴とする補正方法。
【請求項８】
周囲温度と前記発振素子の出力信号の周波数との第１の対応情報を取得し、
該第１の対応情報から、周囲温度と前記処理手段の計時処理の変化を補正する補正量との第２の対応情報を算出し、
前記バックライトの動作量と周囲温度との第３の対応情報を取得し、
前記第２の対応情報及び前記第３の対応情報を基に、前記バックライトの動作量と前記処理手段の計時処理の変化を補正する補正量との対応情報を算出して予め記憶しておく請求項７に記載の補正方法。
【請求項９】
表示パネルと、該表示パネルの背面に光を照射するバックライトと、該バックライトを駆動するバックライト駆動手段と、周囲温度の変化に応じて出力信号の周波数が変化する発振素子と、該発振素子の出力信号の周波数に応じて計時処理を行う処理手段とを備える表示装置にて、前記処理手段の計時処理の変化を補正する補正方法において、
前記バックライト駆動手段による前記バックライトの駆動量と前記処理手段の計時処理の変化を補正する補正量との対応情報を予め記憶しておき、
前記バックライト駆動手段の駆動量に応じて前記対応情報を基に前記処理手段の計時処理の変化を補正すること
を特徴とする補正方法。
【請求項１０】
周囲温度と前記発振素子の出力信号の周波数との第１の対応情報を取得し、
該第１の対応情報から、周囲温度と前記処理手段の計時処理の変化を補正する補正量との第２の対応情報を算出し、
前記バックライト駆動手段による前記バックライトの駆動量と周囲温度との第３の対応情報を取得し、
前記第２の対応情報及び前記第３の対応情報を基に、前記バックライト駆動手段が前記バックライトを駆動する駆動量と前記処理手段の計時処理の変化を補正する補正量との対応情報を算出して予め記憶しておく請求項９に記載の補正方法。
【発明の詳細な説明】
【技術分野】
【０００１】
本発明は、表示パネル及びバックライト等を備える表示装置の内部温度又は電気部品の周囲温度に応じて処理の変化の補正を行う補正方法、並びに温度の変化によって処理結果が変化することを抑制できる表示装置に関する。
【背景技術】
【０００２】
従来から、液晶パネル及びバックライト等を備えて、液晶パネルに映像を表示する液晶表示装置が普及している。液晶表示装置は、ブラウン管による表示装置と比較して、大型且つ薄型の表示装置を実現することが可能であるという利点がある。液晶表示装置の筐体内には、液晶パネル及びバックライトと共に、液晶パネルを駆動する駆動回路、バックライトを駆動する駆動回路、テレビジョン放送の電波を受信する受信回路及びこれらを制御する制御回路等の電子回路を搭載した回路基板が収容されている。液晶表示装置は薄型化が求められるため、回路基板がバックライトの近傍に配設される場合が多く、液晶表示装置の使用に伴ってバックライトが発する熱により温度が上昇し、回路基板に搭載された電子部品の動作に影響を与えるという問題がある。
【０００３】
例えば、液晶表示装置の電源のオン／オフを任意の時刻に行う機能、所謂タイマ機能を備えている場合には、液晶表示装置は計時を行うためのタイマ回路を備えており、タイマ回路は、水晶発振素子から与えられる一定の周波数のクロック信号を基に計時を行うようにしてある。しかし、水晶発振素子は周囲温度の変化によって周波数が変動し、例えば音叉型水晶発振素子の場合、周波数が２次曲線で変動し、ある温度をピークとして、ピーク温度より高温になるほど、又は低温になるほど周波数が低くなるため、バックライトが発する熱による周囲温度の変化によってタイマ回路の計時に誤差が生じるという問題がある。この場合、液晶表示装置を長時間使用したときには、周囲温度が高い状態が長時間継続されるため、タイマ回路により計時される時刻に遅れが生じやすく、また、液晶表示装置を長時間使用しないときには、周囲温度が低い状態が長時間継続されるため、時刻に進みが生じやすい。
【０００４】
特許文献１においては、温度による周波数変化の大きい水晶発振子で動作するカレンダＩＣの計時誤差を、温度による周波数変化の少ない水晶振動子で動作するＣＰＵで監視して補正することにより、カレンダＩＣの計時精度を高めることができるカレンダＩＣ補正方法が提案されている。
【０００５】
特許文献２においては、発振子の周辺の温度を検知する温度センサを備え、温度センサが検知する温度に基づいて発振子の基準クロックパルスを補正することにより、温度変化の影響を受けやすい不安定な発振性能の発振子であっても、発振誤差を正確に補正して安定した発振性能を得ることができ、正確な計時を行うことができる温度補正機能付きタイマ、及びこのタイマを備える温度調節器が提案されている。
【０００６】
特許文献３においては、商用電源の周波数をカウントして５０Ｈｚであるか又は６０Ｈｚであるかを判別し、商用電源の周波数に基づいて決定される所定時間の間に水晶振動子の出力信号の周波数をカウントして周波数の変動を検出し、周波数の変動に対応する分周比で水晶振動子の出力信号を分周して基準周波数を得る構成とすることにより、水晶振動子の特性の温度変化及び経年変化等を補正して、正確な基準時間又は基準クロックを得ることができる発振基準素子の出力周波数補正方法、発振基準素子の出力周波数補正回路及び電子制御機器が提案されている。
【特許文献１】特開平５−１３４７７９号公報
【特許文献２】特開平１１−２５８３１号公報
【特許文献３】特開平１１−１９４１８４号公報
【発明の開示】
【発明が解決しようとする課題】
【０００７】
しかしながら、特許文献１に記載のカレンダＩＣ補正方法においては、ＣＰＵが一分毎にカレンダＩＣの計時する時刻を調べる構成であるため、ＣＰＵの負担が大きいという問題がある。また、ＣＰＵを動作させる水晶振動子に温度による周波数の変動が発生しない補償はなく、特に液晶表示装置の場合にはバックライトが発する熱により周囲温度が高温となるため、ＣＰＵを動作させる水晶振動子が温度変化の少ないものであっても、周波数の変動が発生する虞がある。周波数の変動が発生しない場合であっても、高温下で温度変化が発生しない水晶振動子は高価であるため、コストが増加するという問題がある。
【０００８】
また、特許文献２に記載の温度補正機能付きタイマ及び温度調節器においては、発振子の周辺の温度を検知するために温度センサを備える必要がある。液晶表示装置に同様の機能を付加する場合、従来の液晶表示装置には温度センサが搭載されていないため、新たなデバイスの追加が必要であり、これによりコストが増加するという問題がある。
【０００９】
また、特許文献３に記載の発振基準素子の出力周波数補正方法、発振基準素子の出力周波数補正回路及び電子制御機器においては、商用電源の周波数をカウントする回路、及び水晶振動子の出力信号を任意の分周比で分周するためのプログラマブル分周器等の回路を追加する必要があるため、コストが増加するという問題がある。
【００１０】
一方、高熱を発するデバイスを搭載する機器においては、温度上昇を抑制するためにファンなどの冷却装置を搭載し、他のデバイスの熱による誤動作を防止するものがある。例えば液晶表示装置にファンを搭載する場合、冷却能力を高めるためにファンの回転数を高く設定すると、ファンが回転に伴って発する回転音がユーザの視聴の妨げとなる可能性があり、また、ファンの回転数を高くすることにより、消費電流が増大するという問題があるため、ファンは必要最低限の回転数で駆動する必要がある。よって、温度が高い場合にはファンの回転数を高く設定し、温度が低い場合にはファンの回転数を低く設定するなど、温度に応じてファンの回転数を制御できることが望ましい。
【００１３】
本発明は、斯かる事情に鑑みてなされたものであって、表示装置が周囲の温度により動作特性が変化する電気部品、例えば水晶発振素子を用いた処理を行い、温度により処理が変化する場合に、予め記憶してあるバックライトの動作量と処理の変化を補正するための補正量との対応情報を基にして、処理の変化を補正することにより、表示装置がバックライトの動作量を検出するセンサを備える場合には、新たなデバイスを追加することなく、温度変化による処理の変化を補正することができる補正方法を提供することにある。
【００１４】
また本発明の他の目的とするところは、電気部品の動作特性及び電気部品の周囲温度の対応から前記温度及び処理の変化を補正する補正量の対応情報を算出し、この対応情報とバックライトの動作量及び前記温度の対応情報とから算出されるバックライトの動作量及び処理の変化を補正する補正量の対応情報を基に補正を行うことにより、バックライトの動作量から推定される前記温度に応じた補正を行うことができる補正方法を提供することにある。
【００１５】
また本発明の他の目的とするところは、表示装置が周囲の温度により動作特性が変化する電気部品を用いた処理を行い、前記温度により処理が変化する場合に、バックライトの駆動量と処理の変化を補正するための補正量との対応情報を基にして、処理の変化を補正することにより、表示装置がバックライトの動作量を検出するセンサを備えない場合であっても、新たなデバイスを追加することなく、温度変化による処理の変化を補正することができる補正方法を提供することにある。
【００１６】
また本発明の他の目的とするところは、電気部品の動作特性及び電気部品の周囲温度の対応から前記温度及び処理の変化を補正する補正量の対応情報を算出し、この対応情報とバックライトの駆動量及び前記温度の対応情報とから算出されるバックライトの駆動量及び処理の変化を補正する補正量の対応情報を基に補正を行うことにより、バックライトの駆動量から推定される前記温度に応じた補正を行うことができる補正方法を提供することにある。
【００１７】
また本発明の他の目的とするところは、周囲の温度により動作特性が変化する電気部品を用いた処理を行い、前記温度により処理が変化する場合に、予め記憶されたバックライトの動作量及び処理の変化を補正するための補正量の対応情報と、センサが検出するバックライトの動作量とから補正量を算出して補正を行う構成とすることにより、温度センサなどの新たなデバイスを追加することなく、温度変化による処理の変化を補正することができる表示装置を提供することにある。
【００１８】
また本発明の他の目的とするところは、バックライトの動作量とこの動作量での駆動時間とを記憶し、所定時間に対する駆動時間の割合に応じて各動作量に対する補正量を重み付けし、この補正量を合計して最終的なバックライトの補正量とし、所定時間毎に補正を行う構成とすることにより、常に処理の変化の補正を行う場合と比較して、補正を行う頻度を少なくできるため、補正を行うことによるＣＰＵ又はマイコン等への負荷を軽減できる表示装置を提供することにある。
【００１９】
また本発明の他の目的とするところは、周囲の温度により動作特性が変化する電気部品を用いた処理を行い、前記温度により処理が変化する場合に、予め記憶されたバックライトの駆動量及び処理の変化を補正するための補正量の対応情報と、バックライトを駆動するときの駆動量とから補正量を算出して補正を行う構成とすることにより、バックライトの動作量を検出するセンサを備えていない場合であっても、温度センサなどの新たなデバイスを追加することなく、温度変化による処理の変化を補正することができる表示装置を提供することにある。
【００２０】
また本発明の他の目的とするところは、バックライトの駆動量とこの駆動量での駆動時間とを記憶し、所定時間に対する駆動時間の割合に応じて各駆動量に対する補正量を重み付けし、この補正量を合計して最終的なバックライトの補正量とし、所定時間毎に補正を行う構成とすることにより、常に処理の変化の補正を行う場合と比較して、補正を行う頻度を少なくできるため、補正を行うことによるＣＰＵ又はマイコン等への負荷を軽減できる表示装置を提供することにある。
【００２１】
また本発明の他の目的とするところは、周囲の温度により動作特性が変化する発振素子を備え、発振素子の出力信号を基に計時処理を行う場合に、前記温度変化により生じる時刻の誤差を補正する構成とすることにより、より正確なタイマ機能を備えることができる表示装置を提供することにある。
【００２４】
また本発明の他の目的とするところは、バックライトが発する輝度を検出するセンサを搭載し、検出された輝度から推定される表示装置内部の温度に応じた補正を行う構成とすることにより、例えばバックライトの輝度を制御するために予めセンサを搭載している場合に、簡単に温度を推定して補正を行うことができる表示装置を提供することにある。
【００２５】
また本発明の他の目的とするところは、バックライトの動作時に流れる電流の電流量を検出するセンサを搭載し、検出された電流量から推定される表示装置内部の温度に応じた補正を行う構成とすることにより、例えばバックライトの駆動量を制御するために予めセンサを搭載している場合に、簡単に温度を推定して補正を行うことができる表示装置を提供することにある。
【課題を解決するための手段】
【００３０】
本発明に係る補正方法は、表示パネルと、該表示パネルの背面に光を照射するバックライトと、該バックライトの動作量を検出する検出手段と、周囲温度の変化に応じて動作特性が変化する電気部品と、該電気部品の動作に応じて処理を行う処理手段とを備える表示装置にて、前記処理手段の処理の変化を補正する補正方法において、前記バックライトの動作量と前記処理手段の処理の変化を補正する補正量との対応情報を予め記憶しておき、前記検出手段により前記バックライトの動作量を検出し、検出した動作量に応じて前記対応情報を基に前記処理手段に対する補正を行うことを特徴とする。
【００３１】
本発明においては、表示装置が周囲の温度により動作特性が変化する水晶発振素子などの電気部品を用いた処理を行い、前記温度の変化により処理が変化する場合、バックライトの動作量から推定できる前記温度と、前記温度に応じた処理の変化に対する補正量との関係から取得できるバックライトの動作量及び処理の変化に対する補正量の対応情報を予め記憶しておく。これにより、センサによりバックライトの動作量を検出し、記憶した対応情報を基に補正量を算出して処理の変化の補正を行うことができる。温度センサを用いることなく温度変化によって処理に誤差が生じることを防止でき、動作量を検出するセンサを予め備える表示装置の場合には、新たなデバイスを追加せずに補正を行うことができる。
【００３２】
また、本発明に係る補正方法は、周囲温度と前記電気部品の動作特性との第１の対応情報を取得し、該第１の対応情報から、周囲温度と前記処理手段の処理の変化を補正する補正量との第２の対応情報を算出し、前記バックライトの動作量と周囲温度との第３の対応情報を取得し、前記第２の対応情報及び前記第３の対応情報を基に、前記バックライトの動作量と前記処理手段の処理の変化を補正する補正量との対応情報を算出して予め記憶しておくことを特徴とする。
【００３３】
本発明においては、まず、電気部品の動作特性と電気部品周囲の温度との第１の対応情報を取得し、この対応情報から前記温度と処理の変化を補正する補正量との第２の対応情報を算出する。これとは別に、バックライトの動作量と前記温度との第３の対応情報、即ちバックライトの動作量から推定される前記温度に関する情報を取得する。得られた第２の対応情報及び第３の対応情報から、バックライトの動作量と処理の変化を補正する補正量との対応情報を算出することができ、この対応情報を用いて補正を行うことによって、バックライトの動作量から推定される温度に応じた補正を行うことができる。
【００３４】
また、本発明に係る補正方法は、表示パネルと、該表示パネルの背面に光を照射するバックライトと、該バックライトを駆動するバックライト駆動手段と、周囲温度の変化に応じて動作特性が変化する電気部品と、該電気部品の動作に応じて処理を行う処理手段とを備える表示装置にて、前記処理手段の処理の変化を補正する補正方法において、前記バックライト駆動手段による前記バックライトの駆動量と前記処理手段の処理の変化を補正する補正量との対応情報を予め記憶しておき、前記バックライト駆動手段の駆動量に応じて前記対応情報を基に前記処理手段の処理の変化を補正することを特徴とする。
【００３５】
本発明においては、表示装置が周囲の温度により動作特性が変化する電気部品を用いた処理を行い、前記温度の変化により処理が変化する場合、バックライトの駆動量から推定できる前記温度と、前記温度に応じた処理の変化に対する補正量との関係から取得できるバックライトの駆動量及び処理の変化に対する補正量の対応情報を予め記憶しておく。これにより、バックライトを駆動するときの駆動量に応じて、記憶した対応情報を基に補正量を算出して処理の変化の補正を行うことができる。バックライトの動作量を検出するセンサを備えない表示装置であっても、温度センサを用いることなく温度変化によって処理に誤差が生じることを防止でき、新たなデバイスを追加せずに補正を行うことができる。
【００３６】
また、本発明に係る補正方法は、周囲温度と前記電気部品の動作特性との第１の対応情報を取得し、該第１の対応情報から、周囲温度と前記処理手段の処理の変化を補正する補正量との第２の対応情報を算出し、前記バックライト駆動手段による前記バックライトの駆動量と周囲温度との第３の対応情報を取得し、前記第２の対応情報及び前記第３の対応情報を基に、前記バックライト駆動手段が前記バックライトを駆動する駆動量と前記処理手段の処理の変化を補正する補正量との対応情報を算出して予め記憶しておくことを特徴とする。
【００３７】
本発明においては、まず、電気部品の動作特性と電気部品周囲の温度との第１の対応情報を取得し、この対応情報から前記温度と処理の変化を補正する補正量との第２の対応情報を算出する。これとは別に、バックライトの駆動量と前記温度との第３の対応情報、即ちバックライトの駆動量から推定される前記温度に関する情報を取得する。得られた第２の対応情報及び第３の対応情報から、バックライトの駆動量と処理の変化を補正する補正量との対応情報を算出することができ、この対応情報を用いて補正を行うことによって、バックライトの駆動量から推定される温度に応じた補正を行うことができる。
【００３８】
また、本発明に係る表示装置は、表示パネルと、該表示パネルの背面に光を照射するバックライトと、該バックライトの動作量を検出する検出手段と、周囲温度の変化に応じて動作特性が変化する電気部品と、該電気部品の動作に応じて処理を行う処理手段とを備える表示装置において、前記バックライトの動作量と前記処理手段の処理の変化を補正する補正量との対応情報を記憶する記憶手段と、前記検出手段が検出した動作量及び前記対応情報を基に、前記処理手段の処理の変化を補正する補正量を算出する算出手段と、該算出手段が算出した補正量に応じて、前記処理手段の処理の変化を補正する補正手段とを備えることを特徴とする。
【００３９】
本発明においては、周囲の温度により動作特性が変化する電気部品を用いた処理を行い、前記温度により処理が変化する場合に、バックライトの動作量と処理の変化を補正するための補正量との対応情報を記憶しておき、輝度センサによりバックライトの動作量を検出して記憶した対応情報から補正量を算出し、処理の変化の補正を行う。動作量を検出するセンサを備えている場合には、簡単な対応情報をメモリに記憶しておくのみで補正を行うことができ、温度センサなどの新たなデバイスを追加する必要がない。
【００４０】
また、本発明に係る表示装置は、前記検出手段が検出した動作量と該動作量で前記バックライトが駆動された駆動時間とを対応付けて記憶する記憶手段を備え、前記算出手段は、所定時間に対する前記駆動時間の割合に応じて各動作量に対する補正量を重み付けし、重み付けされた補正量の合計を算出するようにしてあり、前記補正手段は、前記所定時間毎に、算出された補正量の合計に応じて前記処理手段の処理の変化を補正するようにしてあることを特徴とする。
【００４１】
本発明においては、処理の変化の補正を例えば１２時間毎又は２４時間毎等の所定時間毎に行い、この所定時間の間に、センサが検出する動作量とこの動作量でバックライトが駆動されていた時間とを対応付けて記憶しておく。これにより、所定時間の間に生じる誤差を推定することができ、所定の時間が経過したときに、各動作量に対する補正量について、所定の時間内に各動作量で駆動された割合に応じた重み付けを行い、重み付けされた補正量を合計して最終的な補正量を算出する。補正を行う処理が例えば表示装置のタイマ機能を実現するための計時処理である場合、電気部品周囲の温度の変化により計時処理に生じる誤差は２４時間で最大数秒程度であるため、補正は１２時間又は２４時間程度の周期で行えば十分であり、補正を行う頻度を少なくすることによって表示装置のＣＰＵ又はマイコン等の負荷を軽減できる。
【００４２】
また、本発明に係る表示装置は、表示パネルと、該表示パネルの背面に光を照射するバックライトと、該バックライトを駆動するバックライト駆動手段と、周囲温度の変化に応じて動作特性が変化する電気部品と、該電気部品の動作に応じて処理を行う処理手段とを備える表示装置において、前記バックライト駆動手段による前記バックライトの駆動量と前記処理手段の処理の変化を補正する補正量との対応情報を記憶する記憶手段と、前記バックライト駆動手段の駆動量及び前記対応情報を基に、前記処理手段の処理の変化を補正する補正量を算出する算出手段と、該算出手段が算出した補正量に応じて、前記処理手段の処理の変化を補正する補正手段とを備えることを特徴とする。
【００４３】
本発明においては、周囲の温度により動作特性が変化する電気部品を用いた処理を行い、前記温度により処理が変化する場合に、バックライトの駆動量と処理の変化を補正するための補正量との対応情報を記憶しておき、バックライトを駆動するときに記憶した対応情報から補正量を算出して補正を行う。バックライトの動作量を検出するセンサを備えていない場合であっても、温度センサなどの新たなデバイスを追加することなく、簡単な対応情報をメモリに記憶しておくのみで補正を行うことができる。
【００４４】
また、本発明に係る表示装置は、前記バックライト駆動手段が前記バックライトを駆動した駆動量と該駆動量で前記バックライトが駆動された駆動時間とを対応付けて記憶する記憶手段を備え、前記算出手段は、所定時間に対する前記駆動時間の割合に応じて各駆動量に対する補正量を重み付けし、重み付けされた補正量の合計を算出するようにしてあり、前記補正手段は、前記所定時間毎に、算出された補正量の合計に応じて前記処理手段の処理の変化を補正するようにしてあることを特徴とする。
【００４５】
本発明においては、処理の変化の補正を所定時間毎に行い、この所定時間の間に、バックライトを駆動した駆動量とこの駆動量でバックライトが駆動されていた時間とを対応付けて記憶しておく。これにより、所定時間の間に生じる誤差を推定することができ、所定の時間が経過したときに、各駆動量に対する補正量について、所定の時間内に各駆動量で駆動された割合に応じた重み付けを行い、重み付けされた補正量を合計して最終的な補正量を算出する。補正を行う処理が例えば表示装置のタイマ機能を実現するための計時処理である場合、電気部品周囲の温度の変化により計時処理に生じる誤差は２４時間で最大数秒程度であるため、補正は１２時間又は２４時間程度の周期で行えば十分であり、補正を行う頻度を少なくすることによって表示装置のＣＰＵ又はマイコン等の負荷を軽減できる。
【００４６】
また、本発明に係る表示装置は、前記電気部品が、所定の周波数の信号を出力する発振素子であり、前記処理手段は、前記発振素子が出力する信号を基に計時処理を行うようにしてあり、前記補正手段は、前記算出手段が算出した補正量に応じて前記計時処理の変化を補正するようにしてあることを特徴とする。
【００４７】
本発明においては、発振素子からの出力信号により計時処理を行う。発振素子は周囲の温度により出力する信号の周波数特性が変化するため、計時処理に誤差を生じる虞がある。このため、バックライトの動作量又は駆動量により推定される前記温度に応じた補正を行うことにより、誤差をなくして正確なタイマ機能を実現できる。
【００５２】
また、本発明に係る表示装置は、前記動作量が、前記バックライトが発する光の輝度であり、前記検出手段は、前記輝度を検出するようにしてあることを特徴とする。
【００５３】
本発明においては、バックライトの輝度から表示装置の内部温度を推定して補正を行う。表示装置にはバックライトの輝度を制御するために、バックライトの輝度を検出するためのセンサを備えている場合があり、このセンサを用いることで、温度センサなどの新たなデバイスを追加せずに、補正を行うことができる。
【００５４】
また、本発明に係る表示装置は、前記動作量が、前記バックライトを流れる電流の電流量であり、前記検出手段は、前記電流量を検出するようにしてあることを特徴とする。
【００５５】
本発明においては、バックライトを流れる電流の電流量から表示装置の内部温度を推定して補正を行う。表示装置にはバックライトの輝度を制御するために、バックライトを流れる電流の電流量を検出するためのセンサを備えている場合があり、このセンサを用いることで、温度センサなどの新たなデバイスを追加せずに、補正を行うことができる。
【発明の効果】
【００５８】
本発明による場合は、表示装置が周囲の温度により動作特性が変化する電気部品を用いた処理を行い、前記温度により処理が変化する場合に、バックライトの動作量と処理の変化を補正するための補正量との対応情報を基にして処理の変化を補正することにより、表示装置がバックライトの動作量を検出するセンサを備える場合には、温度センサなどの新たなデバイスを追加することなく、温度変化による処理の変化を補正することができるため、この補正機能を備えることによる表示装置のコストの増加を抑制することができる。また、電気部品の周囲温度の影響を受けにくくなるため表示装置の信頼性を高めることができる。
【００５９】
また、本発明による場合は、電気部品の動作特性及び電気部品の周囲温度の対応から温度及び処理の変化を補正する補正量の対応情報を算出し、この対応情報とバックライトの動作量及び前記温度の対応情報とから算出されるバックライトの動作量及び処理の変化を補正する補正量の対応情報を基に補正を行うことにより、バックライトの動作量から推定される前記温度に応じた補正を行うことができるため、表示装置が前記温度の影響を受けにくくなり、信頼性を高めることができる。また、表示装置はバックライトの動作量と処理の変化を補正する補正量との対応情報を記憶しておくのみで簡単に補正を行うことができるため、補正機能を備えることによる表示装置のコストの増加を抑制することができる。
【００６０】
また、本発明による場合は、表示装置が周囲の温度により動作特性が変化する電気部品を用いた処理を行い、前記温度により処理が変化する場合に、バックライトの駆動量と処理の変化を補正するための補正量との対応情報を基にして、処理の変化を補正することにより、表示装置がバックライトの動作量を検出するセンサを備えない場合であっても、新たなデバイスを追加することなく、温度変化による処理の変化を補正することができるため、この補正機能を備えることによる表示装置のコストの増加を抑制することができる。また、電気部品の周囲温度の影響を受けにくくなるため表示装置の信頼性を高めることができる。
【００６１】
また、本発明による場合は、電気部品の動作特性及び電気部品の周囲温度の対応から温度及び処理の変化を補正する補正量の対応情報を算出し、この対応情報とバックライトの駆動量及び前記温度の対応情報とから算出されるバックライトの駆動量及び処理の変化を補正する補正量の対応情報を基に補正を行うことにより、バックライトの駆動量から推定される前記温度に応じた補正を行うことができるため、表示装置が温度の影響を受けにくくなり、信頼性を高めることができる。また、表示装置はバックライトの動作量と処理の変化を補正する補正量との対応情報を記憶しておくのみで簡単に補正を行うことができるため、補正機能を備えることによる表示装置のコストの増加を抑制することができる。
【００６２】
また、本発明による場合は、周囲の温度により動作特性が変化する電気部品を用いた処理を行い、前記温度により処理が変化する場合に、予め記憶されたバックライトの動作量及び処理の変化を補正するための補正量の対応情報と、センサが検出するバックライトの動作量とから補正量を算出して補正を行う構成とすることにより、動作量を検出するセンサを備えている場合には、温度センサなどの新たなデバイスを追加することなく、簡単な対応情報をメモリに記憶しておくのみで補正を行うことができるため、補正機能を備えることによるコストの増加を抑制することができる。また、補正機能を備えることによって、電気部品の周囲温度の影響を受けにくくなるため信頼性を高めることができる。
【００６３】
また、本発明による場合は、バックライトの動作量とこの動作量での駆動時間とを記憶し、所定時間に対する駆動時間の割合に応じて各動作量に対する補正量を重み付けし、この補正量を合計して最終的なバックライトの補正量とし、所定時間毎に補正を行う構成とすることにより、所定時間の間に生じる誤差を推定することができ、この誤差に応じた補正を行うことができるため、処理の変化の補正を常に行う必要がなく、ＣＰＵ又はマイコン等の負荷を軽減できる。
【００６４】
また、本発明による場合は、周囲の温度により動作特性が変化する電気部品を用いた処理を行い、前記温度により処理が変化する場合に、予め記憶されたバックライトの駆動量及び処理の変化を補正するための補正量の対応情報と、バックライトを駆動するときの駆動量とから補正量を算出して補正を行う構成とすることにより、バックライトの動作量を検出するセンサを備えていない場合であっても、温度センサなどの新たなデバイスを追加することなく、簡単な対応情報をメモリに記憶しておくのみで補正を行うことができるため、補正機能を備えることによるコストの増加を抑制することができる。また、補正機能を備えることによって、電気部品の周囲温度の影響を受けにくくなるため信頼性を高めることができる。
【００６５】
また、本発明による場合は、バックライトの駆動量とこの駆動量での駆動時間とを記憶し、所定時間に対する駆動時間の割合に応じて各駆動量に対する補正量を重み付けし、この補正量を合計して最終的なバックライトの補正量とし、所定時間毎に補正を行う構成とすることにより、所定時間の間に生じる誤差を推定することができ、この誤差に応じた補正を行うことができるため、処理の変化の補正を常に行う必要がなく、ＣＰＵ又はマイコン等の負荷を軽減できる。
【００６６】
また、本発明による場合は、周囲の温度により動作特性が変化する発振素子を備え、発振素子の出力信号を基に計時処理を行う場合に、前記温度の変化により生じる時刻の誤差を補正する構成とすることにより、より正確なタイマ機能を備えることができるため、信頼性が向上すると共に、ユーザの利便性が向上する。
【００６９】
また、本発明による場合は、バックライトが発する光の輝度を検出するセンサを搭載し、検出された輝度から推定される表示装置の内部温度に応じた補正を行う構成とすることにより、バックライトの輝度を制御するために、バックライトの輝度を検出するためのセンサを備えている場合には、このセンサを用いることで、温度センサなどの新たなデバイスを追加せずに、補正を行うことができるため、補正機能を備えることによるコストの増加を抑制することができる。
【００７０】
また、本発明による場合は、バックライトの動作時に流れる電流の電流量を検出するセンサを搭載し、検出された電流量から推定される表示装置の内部温度に応じた補正を行う構成とすることにより、バックライトの輝度を制御するためにバックライトを流れる電流の電流量を検出するためのセンサを備えている場合には、このセンサを用いることで、温度センサなどの新たなデバイスを追加せずに、補正を行うことができるため、補正機能を備えることによるコストの増加を抑制することができる。
【発明を実施するための最良の形態】
【００７１】
（実施の形態１）
以下、本発明をその実施の形態を示す図面に基づき具体的に説明する。図１は、本発明の実施の形態１に係る表示装置の構成を示すブロック図である。図において１は表示装置の各部を制御する制御部であり、制御部１がバックライト３を駆動するインバータ６の制御、及び液晶パネル２に表示する映像に係る信号の処理を行う映像処理部５の制御等を行うことにより、チューナ１２にて受信したテレビ番組又は外部機器から入力された映像等を液晶パネル２に表示するようにしてある。
【００７２】
液晶パネル２は、外部電界で制御可能な厚さ数μｍの液晶層の複屈折性を利用した光透過型の表示デバイスであり、液晶パネル２自身は発光機能を有していないため、外部光源であるバックライト３から照射される光により映像の表示を行うようにしてある。液晶パネル２は液晶駆動部４により駆動されて映像を表示するようにしてあり、液晶駆動部４は、映像処理部５から与えられる制御信号に応じて、液晶パネル２の水平方向及び垂直方向にマトリックス状に配された駆動用配線に選択的に電圧を供給することで液晶パネル２の駆動を行うようにしてある。映像処理部５は、公共のテレビジョン放送に係る電波を受信するチューナ１２、又はＤＶＤプレーヤ若しくはハードディスクレコーダ等の外部機器にケーブルを介して接続される入力端子を有する入力部１３から与えられる映像データを、液晶パネル２を駆動するための制御信号に変換して液晶駆動部４へ与えるようにしてある。
【００７３】
バックライト３は、例えば冷陰極管により実現されるものであり、インバータ６から与えられる電圧・電流により駆動されて点灯し、液晶パネル２の背面に光を照射するようにしてある。インバータ６は制御部１から与えられるＰＷＭ方式の制御信号に応じてバックライト３の駆動を行うようにしてあるため、制御部１は、制御信号のパルス幅を調整することでバックライト３の輝度を調整できるようにしてある。
【００７４】
表示装置は、筐体の前面若しくは側面等に設けられた複数のボタン若しくはスイッチ等、又は複数のボタン若しくはスイッチ等が設けられたリモートコントローラが送信する赤外線信号の受信回路を有し、ユーザからの操作を受け付ける操作部１１を備えている。制御部１は、例えば、液晶パネル２にて表示する映像の輝度設定に係る操作を操作部１１が受け付けた場合に、インバータ６へ与える制御信号のパルス幅を調整して、バックライト３の輝度を調整するようにしてある。
【００７５】
また、本実施の形態に係る表示装置は、ユーザが指定した任意の時刻に映像の表示又は非表示を行う機能、所謂タイマ機能を備えている。タイマ機能を実現するために、表示装置は水晶発振素子７を備えており、水晶発振素子７が出力するクロック信号により制御部１が計時処理を行い、ユーザが指定した時刻に、制御部１が映像処理部５を制御することによって、映像を表示又は非表示にする処理を行うようにしてある。
【００７６】
水晶発振素子７は表示装置の筐体内のバックライト３近傍に配設されており、表示装置が映像を表示する場合、バックライト３は点灯し、光を発して液晶パネル２の背面に照射すると共に熱を発するため、バックライト３の周囲の温度が上昇し、水晶発振素子７の周囲温度が上昇する。このため、水晶発振素子７は、周囲の温度の変化によって動作特性、即ち出力するクロック信号の周波数が変化する。図２は、水晶発振素子７の動作特性の一例を示すグラフであり、横軸に水晶発振素子７の周囲温度を示し、縦軸に水晶発振素子７が出力するクロック信号の周波数の偏差を示してある。図３は、水晶発振素子７を用いた場合の計時処理に発生する時刻誤差の一例を示すグラフであり、横軸に水晶発振素子７の周囲温度を示し、縦軸に時刻誤差を示してある。なお、時刻誤差は該当する温度で計時処理を２４時間行った場合に発生する誤差であり、時刻誤差の正値は時刻の進みを示し、負値は時刻の遅れを示す。
【００７７】
図２及び図３のグラフに示すように、水晶発振素子７は、周囲温度が上昇すると共に出力信号の周波数が低下し、制御部１が行う計時処理による時刻誤差は、水晶発振素子７の出力信号の周波数変動に比例するため、２４時間で３秒程度の誤差が発生する可能性がある。なお、制御部１による計時処理は、水晶発振素子７が出力するクロック信号の所定のパルス数をカウントして例えば１秒を計時するようにしてあるため、水晶発振素子７の周波数の変化から所定時間での時刻の誤差を一意的に算出することが可能である。
【００７８】
このため、本実施の形態に係る表示装置は、計時処理に発生する時刻誤差の補正を行う機能を備えており、この処理は、バックライト３が発する光の輝度から推定される周囲の温度に応じた時刻誤差の補正を制御部１が行うことで実現している。表示装置は、バックライト３が発する光の輝度を検出する輝度センサ８を備えており、また、フラッシュメモリ又はＥＥＰＲＯＭ等の不揮発性でデータの書き換えが可能なメモリ９を備え、輝度センサ８が検出するバックライト３の輝度と計時処理に発生する時刻誤差を補正する補正値との対応情報である補正テーブル１０をメモリ９に記憶してある。
【００７９】
図４は、時刻誤差を補正するための補正テーブル１０の作成工程を示すフローチャートである。まず、表示装置の設計段階又は試作段階等にて、周囲温度に対する水晶発振素子７の発振周波数の特性（以下、”周波数偏差−温度”特性という）を測定する（ステップＳ１）。この測定結果の一例が図２に示すグラフである。測定により得られた”周波数偏差−温度”特性から、周囲温度に対する所定時間での時刻誤差を一意的に算出することができ（図３参照）、時刻誤差を補正する補正値を一意的に算出することができるため、これを算出して、周囲温度に対する時刻補正値のテーブル（以下、”時刻補正値−温度”テーブルという）を作成する（ステップＳ２）。
【００８０】
図５は、水晶発振素子７の周囲温度に対する時刻補正値の一例を示すグラフであり、”時刻補正値−温度”テーブルをグラフ化したものである。なお、時刻補正値の正値は計時した時刻を進めるように補正することを示し、負値は計時した時刻を遅らせるように補正することを示す。図示の通り、図５に示すグラフは、図３に示すグラフを横軸（温度）を中心に反転させたものであり、図３から一意的に算出することができる。
【００８１】
次いで、表示装置の設計段階又は試作段階等にて、バックライト３の輝度に対する水晶発振素子７の周囲温度の特性（以下、”温度−バックライトの輝度”特性という）を測定する（ステップＳ３）。図６は、バックライト３の輝度に対する水晶発振素子７の周囲温度の特性の一例を示すグラフであり、横軸にバックライト３の輝度を示し、縦軸に周囲温度を示してある。なお、バックライト３の輝度は、表示装置が備える輝度センサ８により測定したものではなく、より高精度の輝度測定計を用いて測定したものである（測定手順については後述する）。図６に示すとおり、バックライト３の輝度が大きいほど温度は高くなる。
【００８２】
次いで、ステップＳ２にて得られた”時刻補正値−温度”テーブル、及びステップＳ３にて得られた”温度−バックライトの輝度”特性を基に、バックライト３の輝度に対する時刻補正値を算出して、テーブル（以下、”時刻補正値−バックライトの輝度”テーブルという）を作成する（ステップＳ４）。図７は、バックライト３の輝度に対する時刻補正値の一例を示すグラフであり、”時刻補正値−バックライトの輝度”テーブルをグラフ化したものである。このテーブル中の時刻補正値は、対応するバックライトの輝度にて２４時間連続してバックライト３を駆動した場合に、計時処理による時刻に対して補正しなければならない補正量である。
【００８３】
ステップＳ４にて作成した”時刻補正値−バックライトの輝度”テーブルを用いて、制御部１は計時処理に生じる時刻誤差を補正することが可能であるが、表示装置に搭載される輝度センサ８の検出結果には個体差が存在するため、精度の高い輝度測定計による輝度の検出結果に対する輝度センサ８の検出結果である出力値の特性（以下、”輝度センサの出力値−バックライトの輝度”特性という）を測定する（ステップＳ５）。なお、この測定は、表示装置の製造工程、検査工程又は試験工程等にて行うものである（測定手順については後述する）。図８は、バックライト３の輝度に対する輝度センサ８の出力値の特性の一例を示すグラフであり、バックライト３が特定の輝度で点灯している場合に、輝度測定計にて測定したバックライト３の輝度を横軸に示し、輝度センサ８の出力値を縦軸に示してある。図８に示すように、輝度センサ８の出力値と輝度測定計によるバックライト３の輝度とはほぼ比例するため、測定はバックライト３の輝度の設定を変更しながら数回〜数十回程度行い、測定を行わない部分は線形補間により値を算出することができる。
【００８４】
次いで、ステップＳ４にて作成した”時刻補正値−バックライトの輝度”テーブル、及びステップＳ５にて得られた”輝度センサの出力値−バックライトの輝度”特性から、輝度センサ８の出力値と時刻補正値との対応を有するテーブル（以下、”時刻補正値−輝度センサの出力値”テーブルという）を作成する（ステップＳ６）。図９は、”時刻補正値−輝度センサの出力値”テーブルの一例である。また、図１０は、輝度センサ８の出力値に対する時刻補正値の一例を示すグラフであり、図９の”時刻補正値−輝度センサの出力値”テーブルをグラフ化したものである。ただし、図９には一例として２９個の輝度センサ８の出力値と時刻補正値との対応関係が示してあるが、実際には２５６個又は５１２個程度の対応関係を算出してテーブルとすることが望ましい。
【００８５】
次いで、ステップＳ６にて作成した”時刻補正値−輝度センサの出力値”テーブルを表示装置のメモリ９に補正テーブル１０として記憶し（ステップＳ７）、工程を終了する。
【００８６】
図１１は、”温度−バックライトの輝度”特性の測定手順を示すフローチャートであり、図４のステップＳ３にて行う測定の手順を示すものである。まず、表示装置の周囲の温度を２５℃に設定し（ステップＳ２１）、輝度設定を最大にしてバックライト３を点灯する（ステップＳ２２）。バックライト３が発する熱により表示装置の内部温度が上昇し、温度が安定するまで待機して（ステップＳ２３）、その後にバックライト３の輝度を輝度測定計を用いて測定し（ステップＳ２４）、このときの表示装置内の水晶発振素子７の近傍の温度又は水晶振動素子７の表面温度等の温度測定を行う（ステップＳ２５）。
【００８７】
次いで、バックライト３の輝度設定が最小であるか否かを調べ（ステップＳ２６）、輝度設定が最小でない場合には（Ｓ２６：ＮＯ）、輝度設定を一定量低下させて（ステップＳ２７）、ステップＳ２３へ戻り、輝度及び温度の測定を繰り返して行う。バックライト３の輝度設定を低下させながら輝度及び温度の測定を行い、ステップＳ２６にて輝度設定が最小である場合（Ｓ２６：ＹＥＳ）、バックライト３を消灯して（ステップＳ２９）、温度が低下して安定するまで待機し（ステップＳ３０）、その後に温度測定を行って（ステップＳ３１）、測定を終了する。
【００８８】
以上の手順により、”温度−バックライトの輝度”特性の測定を行うことができる。なお、ステップＳ２７にて一定量毎にバックライト３の輝度設定を低下させながら測定を繰り返し行うため、測定値を得ることができない輝度と温度との対応については、線形補間により算出する。
【００８９】
図１２は、”輝度センサの出力値−バックライトの輝度”特性の測定手順を示すフローチャートであり、図４のステップＳ５にて行う測定の手順を示すものである。まず、輝度設定を最大にしてバックライト３を点灯する（ステップＳ４１）。次いで、バックライト３の輝度を輝度測定計を用いて測定し（ステップＳ４２）、このときの輝度センサ８の出力値を取得する（ステップＳ４３）。なお、ステップＳ４２にて行う輝度の測定は、表示装置内の輝度センサ８の配設位置近傍にて行うことが望ましい。
【００９０】
次いで、バックライト３の輝度設定が最小であるかいなを調べ（ステップＳ４４）、輝度設定が最小でない場合には（ステップＳ４４：ＮＯ）、輝度設定を一定量低下させて（ステップＳ４５）、ステップＳ４２へ戻り、輝度測定計による輝度の測定及び輝度センサ８の出力値の取得を繰り返して行う。バックライト３の輝度設定が最小である場合（Ｓ４４：ＹＥＳ）、測定を終了する。
【００９１】
以上の手順により、”輝度センサの出力値−バックライトの輝度”特性の測定を行うことができる。なお、ステップＳ４５にて一定量毎にバックライト３の輝度設定を低下させながら測定を繰り返し行うため、測定値を得ることができないバックライト３の輝度と輝度センサ８の出力値との対応については、線形補間により算出する。
【００９２】
図１１及び図１２に示す手順で得られた測定結果を基に、図４に示す工程で”時刻補正値−輝度センサの出力値”テーブル、即ち補正テーブル１０を予め作成して表示装置のメモリ９に記憶しておくことができ、本実施の形態に係る表示装置はメモリ９から補正テーブル１０を読み出して、計時処理に生じた誤差の補正を行うことができる。図１３は、本発明の実施の形態１に係る表示装置の制御部１が行う時刻補正の処理手順を示すフローチャートである。
【００９３】
制御部１は、水晶発振素子７を用いた計時処理による現在の時刻が、予め定められた所定時刻（例えば、１日に１回補正を行うのであれば午前０時、又は２回補正を行うのであれば午前０時及び午後１２時などの時刻）であるか否かを調べ（ステップＳ６１）、所定時刻でない場合には（Ｓ６１：ＮＯ）、更に、バックライト３が点灯されているか否かを調べる（ステップＳ６２）。バックライト３が点灯されていない場合（Ｓ６２：ＮＯ）、ステップＳ６１へ戻り、所定時刻となるか又はバックライト３が点灯されるかするまで待機する。
【００９４】
制御部１は、輝度センサ８の出力値と、この出力値が得られる輝度でバックライト３が点灯された点灯時間の累積時間とを、メモリ９に点灯時間テーブルとして記憶しており、上述の所定時刻に達するまでは点灯時間テーブルの更新処理を行うようにしてある。図１４は、点灯時間テーブルの一例である。図示のように、点灯時間テーブルには、輝度センサ８の出力値に対するバックライト３の点灯時間が対応付けて記憶されている。ただし、バックライト３が点灯していないときには更新処理を行わないため、点灯時間テーブルに輝度センサ８の出力値が０の場合の点灯時間は記憶していない。
【００９５】
ステップＳ６２にて、バックライト３が点灯されている場合（Ｓ６２：ＹＥＳ）、輝度センサ８の出力値を取得し（ステップＳ６３）、取得した出力値に対応する点灯時間テーブルのバックライト点灯時間を増して、点灯時間テーブルの更新を行う（ステップＳ６４）。次いで、予め定められた輝度センサ８による輝度測定の周期が経過したか否かを調べ（ステップＳ６５）、経過していない場合は（Ｓ６５：ＮＯ）、測定の周期が経過するまで待機し、また、経過した場合には（Ｓ６５：ＹＥＳ）、ステップＳ６１へ戻って上述の処理を繰り返し行う。例えば、輝度センサ８による測定の周期が１００ｍｓである場合、ステップＳ６４では輝度センサ８の出力値に対応するバックライト点灯時間を１００ｍｓ増し、ステップＳ６５では１００ｍｓを待機した後に、ステップＳ６１の処理へ戻るようにしてある。
【００９６】
ステップＳ６１にて、計時処理による現在の時刻が所定時刻である場合（Ｓ６１：ＹＥＳ）、点灯時間テーブルを基に、補正を行う周期をなす所定時間（例えば、１日に１回補正を行うのであれば２４時間、又は２回補正を行うのであれば１２時間などの時間）に対して、輝度センサ８の各出力値でバックライト３が点灯されていた時間が占める割合をそれぞれ算出する（ステップＳ６６）。次いで、メモリ９から補正テーブル１０を読み出して、輝度センサ８の各出力値に対する補正値を算出し（ステップＳ６７）、各補正値をステップＳ６６にて算出した割合で重み付けし、重み付けした補正値の合計値を算出する（ステップＳ６８）。
【００９７】
即ち、ステップＳ６６、Ｓ６７、Ｓ６８にて行う処理は、以下に示す数式で表すことができる。なお、以下の数式において、ｓi は輝度センサ８の出力値であり、ｔi はｓi に対応するバックライト３の点灯時間であり、Ｔは補正を行う周期（所定時間）であり、ｗi はｓi に対応する重みであり、ａi はｓi に対応する時刻補正値である。また、ｉは１からｎまでの自然数であり、ｎは補正テーブル１０に記憶されている時刻補正値の数である。
【００９８】
【数１】
0004673772.tif 000002
【００９９】
ステップＳ６６にて（１）式の処理を行い、ステップＳ６７にて（２）式のように補正テーブル１０を基にｓi からａi を算出し、ステップＳ６８にて（３）式の処理を行うようにしてある。（１）式、（２）式及び（３）式から算出されるＡが計時処理による現在の時刻に対して実際に補正を行う値であり、この値が正値の場合には時刻を進める補正を行い、負値の場合には時刻を遅らせる補正を行うようにしてある。例えば、図９及び図１４に示した例の数値を用いて計算を行った場合、以下に示す（４）式の算出結果となり、計時処理による時刻を０．４８２４秒進める補正を行う。なお、点灯時間テーブルには輝度センサ８の出力値が０の場合の点灯時間は記憶されていないが、所定時間からバックライト３が点灯していた時間の合計値を減算することにより算出できる。
【０１００】
【数２】
0004673772.tif 000003
【０１０１】
ステップＳ６８にて合計値を算出した後、この合計値に従って計時処理による時刻を補正し（ステップＳ６９）、処理を終了する。ただし、制御部１は、計時処理を行っている間は、補正を行った後に点灯時間テーブルを初期化して、図１３に示す処理を繰り返し行うようにしてある。
【０１０２】
以上の構成の表示装置においては、バックライト３が発する熱により水晶発振素子７の周囲の温度が上昇し、水晶発振素子７の発振周波数が変化し、水晶発振素子７を用いた制御部１による計時処理に誤差が生じた場合であっても、バックライト３が発する光の輝度から推定できる温度を基にして算出された補正値をメモリ９に補正テーブル１０として記憶しておき、補正テーブル１０に基づいて時刻補正を行う構成としたため、表示装置が輝度センサ８をすでに備えている場合には新たなデバイスを追加することなく、水晶発振素子７の周囲の温度変化による計時処理の誤差を簡単に補正することができる。
【０１０３】
また、バックライト３の点灯時間のみを点灯時間テーブルに記憶しておき、１日に数回程度の所定時刻にのみ時刻補正を行う構成とすることにより、制御部１が行う他の処理に対して妨げとなることがなく、制御部１の負荷の増大を抑制することができる。計時処理に生じる誤差は２４時間で最大３秒程度（輝度を最大の設定としてバックライト３を２４時間点灯させた場合）であるため、１日に数回の時刻補正で表示装置のタイマ機能のための計時処理としては十分な精度を保つことができる。
【０１０４】
なお、本実施の形態においては、メモリ９に輝度センサ８の出力値と時刻補正値との対応をテーブルとして記憶しておく構成としたが、これに限るものではなく、時刻補正値は計時処理に生じる誤差量から一意的に導くことができるため、輝度センサ８の出力値と計時処理に生じる誤差量、又は水晶発振素子７の偏差等との対応をテーブルとして記憶しておく構成としてもよい。また、図１３に示す処理手順では、点灯時間テーブルにバックライト３が点灯していない場合の時間を記憶しない構成としたが、これに限るものではなく、点灯時間テーブルにバックライト３が点灯していない場合の時間、即ち輝度センサ８の出力値が０の場合の時間を記憶する構成であってもよい。また、時刻補正を１日に数回程度行う構成としたが、これに限るものではなく、１分毎、１秒毎又は１００ｍｓ毎等のより短い周期で時刻補正を行う構成であってもよい。また、水晶発振素子７を用いた計時処理を補正する構成としたが、これに限るものではなく、周囲温度の変化によって動作特性が変化する他のデバイスを用いた処理の変化を補正する場合に同様の構成を適用することが可能である。
【０１０５】
また、図４、１１、１２において示したテーブルの作成手順は一例であって、これに限るものではない。また、図２、３、５、６、７、８、９、１０、１４に示すグラフ及びテーブルの数値は一例であり、これに限るものではない。
【０１０６】
（変形例）
図１５は、本発明の実施の形態１の変形例に係る表示装置の構成を示すブロック図である。変形例に係る表示装置は、バックライト３の輝度を検出する輝度センサ８に代えて、バックライト３を流れる管電流を検出する管電流検出部８ａを備えている。バックライト３の輝度は、バックライト３を流れる管電流に比例するため、制御部１ａは、管電流検出部８ａの検出結果に応じてバックライト３の輝度を制御するようにしてある。また、メモリ９には、管電流検出部８ａが検出する管電流の検出値と、水晶発振素子７を用いた計時処理に生じる時刻誤差を補正するための補正値との対応が補正テーブル１０ａに記憶されている。
【０１０７】
以上のように、表示装置が輝度センサ８を備えない場合であっても、バックライト３を流れる管電流を検出する管電流検出部８ａを備える場合であれば、検出された管電流により水晶発振素子７の周囲の温度の変化を推定することが可能であり、管電流に応じて計時処理に生じる時刻誤差を補正することが可能である。なお、補正テーブル１０ａの作成工程及び時刻補正の処理手順等は図４及び図１３等に示すフローチャートと同様であるため詳細な説明は省略する。
【０１０８】
（実施の形態２）
図１６は、本発明の実施の形態２に係る表示装置の構成を示すブロック図である。実施の形態２に係る表示装置は、輝度センサ８又は管電流検出部８ａ等のバックライト３の動作量を検出する機構を備えていない。バックライト３の輝度は、インバータ６から与えられる電圧・電流に応じて変化し、インバータ６が出力する電圧・電流は制御部１０１から与えられるＰＷＭ方式の制御信号に応じて変化する。よって、制御部１０１は、インバータ６へ与える制御信号のパルス幅からバックライト３の輝度を推定することができ、バックライト３が発する熱による周囲の温度の変化を推定することができる。メモリ９には、インバータ６へ与える制御信号のパルス幅と、計時処理に生じる時刻誤差を補正するための補正値との対応が補正テーブル１１０に記憶されており、制御部１０１は補正テーブル１１０を基にして水晶発振素子７を用いた計時処理に生じる時刻誤差の補正を行なうようにしてある。
【０１０９】
図１７は、時刻誤差を補正するための補正テーブル１１０の作成工程を示すフローチャートである。まず、表示装置の設計段階又は試作段階等にて、周囲温度に対する水晶発振素子７の発振周波数の特性（以下、”周波数偏差−温度”特性という）を測定する（ステップＳ１０１）。測定により得られた”周波数偏差−温度”特性から、温度に対する所定時間での時刻誤差を一意的に算出することができ、時刻誤差を補正する補正値を一意的に算出することができるため、これを算出して、温度に対する時刻補正値のテーブル（以下、”時刻補正値−温度”テーブルという）を作成する（ステップＳ１０２）。
【０１１０】
次いで、表示装置の設計段階又は試作段階等にて、バックライト３の輝度に対する水晶発振素子７の周囲温度の特性（以下、”温度−バックライトの輝度”特性という）を測定する（ステップＳ１０３）。次いで、ステップＳ１０２にて得られた”時刻補正値−温度”テーブル、及びステップＳ１０３にて得られた”温度−バックライトの輝度”特性を基に、バックライト３の輝度に対する時刻補正値を算出して、テーブル（以下、”時刻補正値−バックライトの輝度”テーブルという）を作成する（ステップＳ１０４）。
【０１１１】
次いで、制御部１０１がインバータ６へ与えるＰＷＭ方式の制御信号のパルス幅に対するバックライト３の輝度の特性（以下、”バックライトの輝度−パルス幅”特性という）を測定する（ステップＳ１０５）。なお、この測定は、表示装置の製造工程、検査工程又は試験工程等にて、表示装置毎に行うものである。
【０１１２】
次いで、ステップＳ１０４にて作成した”時刻補正値−バックライトの輝度”テーブル、及びステップＳ１０５にて得られた”バックライトの輝度−パルス幅”特性から、ＰＷＭ方式の制御信号のパルス幅と時刻補正値との対応を有するテーブル（以下、”時刻補正値−パルス幅”テーブルという）を作成し（ステップＳ１０６）、作成した”時刻補正値−パルス幅”テーブルを表示装置のメモリ９に補正テーブル１１０として記憶して（ステップＳ１０７）、工程を終了する。
【０１１３】
図１８は、本発明の実施の形態２に係る表示装置の制御部１０１が行う時刻補正の処理手順を示すフローチャートである。制御部１０１は、時刻補正を行うために内部に図示しないカウンタを備えており、このカウンタのリセットを行う（ステップＳ１２１）。その後、水晶発振素子７を用いた計時処理による現在の時刻が、予め定められた所定時刻であるか否かを調べ（ステップＳ１２２）、所定時刻でない場合には（Ｓ１２２：ＮＯ）、更に、バックライト３が点灯さているか否かを調べる（ステップＳ１２３）。バックライト３が点灯されていない場合（Ｓ１２３：ＮＯ）、ステップＳ１２２へ戻り、所定時刻となるか又はバックライト３が点灯されるかするまで待機する。
【０１１４】
ステップＳ１２３にて、バックライト３が点灯されている場合（Ｓ１２３：ＹＥＳ）、内部に備えるカウンタをカウントアップする（ステップＳ１２４）。その後、例えばユーザが表示装置の操作部１１を操作して表示する映像の輝度に関する設定を変更するなどし、輝度を変更するためにインバータ６へ与える制御信号のパルス幅に変更が生じたか否かを調べ（ステップＳ１２５）、パルス幅が変更されていない場合には（Ｓ１２５：ＮＯ）、ステップＳ１２２へ戻り、上述の処理を繰り返し行う。
【０１１５】
制御部１０１は、インバータ６へ与えたＰＷＭ方式の制御信号のパルス幅と、このパルス幅に応じてバックライト３が駆動された累積時間とを、メモリ９に点灯時間テーブルとして記憶しており、上述の所定時刻以外には点灯時間テーブルの更新処理を行うようにしてある。ステップＳ１２５にて、パルス幅が変更されていた場合には（Ｓ１２５：ＹＥＳ）、カウンタのカウント値からバックライト３が点灯されていた時間を算出し、算出した時間を点灯時間テーブルの対応する累積時間に加算することで点灯時間テーブルの更新を行う（ステップＳ１２６）。点灯時間テーブルの更新終了後、ステップＳ１２１へ戻り、カウンタをリセットして上述の処理を繰り返し行う。バックライト３が点灯されていた時間は、カウンタのカウントアップを行う周期と、カウンタのカウント値とを積算することにより算出することが可能である。
【０１１６】
ステップＳ１２２にて、計時処理による現在の時刻が所定時刻である場合（Ｓ１２２：ＹＥＳ）、カウンタのカウント値に応じて点灯時間テーブルの更新を行い（ステップＳ１２７）、点灯時間テーブルを基に、補正を行う周期をなす所定時間に対して、各パルス幅でバックライト３が駆動されていた時間が占める割合をそれぞれ算出する（ステップＳ１２８）。次いで、メモリ９から補正テーブル１１０を読み出して、各パルス幅に対する補正値を算出し（ステップＳ１２９）、各補正値をステップＳ１２８にて算出した割合で重み付けして、重み付けした補正値の合計値を算出する（ステップＳ１３０）。その後、算出した合計値に従って時刻の補正を行い（ステップＳ１３１）、処理を終了する。ただし、制御部１０１は、計時処理を行っている間は、時刻の補正を行った後に点灯時間テーブルを初期化して、図１８に示す処理を繰り返し行うようにしてある。
【０１１７】
以上の構成の実施の形態２に係る表示装置においては、バックライト３の輝度を検出する輝度センサ８又はバックライト３を流れる管電流を検出する管電流検出部８ａを備えていない場合であっても、制御部１０１がバックライト３を駆動するインバータ６へ与えるＰＷＭ方式の制御信号のパルス幅に応じてバックライト３の輝度を推定し、バックライト３が発する熱による水晶発振素子７の周囲の温度の変化を推定できるため、制御信号のパルス幅に応じて計時処理に発生する誤差の補正を行うことができる。
【０１１８】
なお、本実施の形態においては、ＰＷＭ方式の制御信号のパルス幅に応じて補正を行う構成としたが、これに限るものではなく、例えば制御信号のデューティー比に応じて補正を行う構成としてもよく、制御部１０１がインバータ６へバックライト３を駆動する電圧値又は電流値等を数値として与える場合には、この数値に応じて補正を行う構成としてもよく、また、ユーザが操作部１１により設定する輝度の設定から、制御部１０１がインバータ６へ与える制御信号が一意的に決定される場合には、ユーザが設定する輝度の設定に応じて補正を行う構成としてもよい。
【０１１９】
なお、実施の形態２に係る表示装置のその他の構成は、実施の形態１に係る表示装置の構成と同様であるため、対応する箇所には同じ符号を付して詳細な説明を省略する。
【０１２０】
（実施の形態３）
図１９は、本発明の実施の形態３に係る表示装置の構成を示すブロック図である。実施の形態３に係る表示装置は、バックライト３が発する熱による表示装置内部の温度の上昇を抑制するためのファン２２２と、ファン２２２に所定の電圧を印加してファン２２２を回転駆動するファン駆動部２２１とを備えている。ファン駆動部２２１は、表示装置の各部の制御を行う制御部２０１から与えられる回転指令に応じて回転を行うようにしてある。制御部２０１から与えられる回転指令にはファン２２２の回転数に係るデータが含まれており、ファン駆動部２２１は、この回転数でファン２２２が回転するように電圧の印加を行うようにしてある。
【０１２１】
メモリ９には、輝度センサ８の出力値とファン２２２の回転数との対応が駆動テーブル２１０に記憶されており、制御部２０１は、バックライト３の輝度を検出する輝度センサ８の出力値を取得し、駆動テーブル２１０を読み出してファン２２２の回転数を決定し、ファン駆動部２２１へ回転指令を与えるようにしてある。これは、バックライト３の輝度により表示装置内部の温度を推定することができ、推定した前記温度及びファン２２２の吸気・排気能力から、前記温度を所定の温度以下に低下させるために必要なファン２２２の回転数を推定することができるためである。
【０１２２】
図２０は、ファン２２２を駆動するための駆動テーブル２１０の作成工程を示すフローチャートである。まず、表示装置の設計段階又は試作段階等にて、ファン２２２の回転数に対する表示装置内部の温度の変化量の特性（以下、”温度変化量−回転数”特性という）を測定する（ステップＳ１５１）。次いで、バックライト３の輝度に対する表示装置内部の温度の特性（以下、”温度−バックライトの輝度”特性という）を測定する（ステップＳ１５２）。なお、バックライト３の輝度は、表示装置が備える輝度センサ８により測定したものではなく、より高精度の輝度測定計を用いて測定したものである。
【０１２３】
ステップＳ１５１にて得られた”温度変化量−回転数”特性から表示装置内部の温度を所定の温度以下に冷却するために必要なファン２２２の回転数を算出することができ、この算出結果及びステップＳ１５２にて得られた”温度−バックライトの輝度”特性から、バックライト３の輝度に対するファン２２２の最適な回転数の対応情報を有するテーブル（以下、”回転数−バックライトの輝度”テーブルという）を作成する（ステップＳ１５３）。
【０１２４】
次いで、精度の高い輝度測定計により検出されたバックライト３の輝度に対する輝度センサ８の出力値の特性（以下、”輝度センサの出力値−バックライトの輝度”特性という）を測定する（ステップＳ１５４）。なお、この測定は、バックライト３に個体差があるため表示装置の製造工程、検査工程又は試験工程等にて行うものである。
【０１２５】
次いで、ステップＳ１５３にて作成した”回転数−バックライトの輝度”テーブル、及びステップＳ１５４にて得られた”輝度センサの出力値−バックライトの輝度”特性から、輝度センサ８の出力値とファン２２２の回転数との対応を有するテーブル（以下、”回転数−輝度センサの出力値”テーブルという）を作成する（ステップＳ１５５）。その後、”回転数−輝度センサの出力値”テーブルを駆動テーブル２１０としてメモリ９に記憶させ（ステップＳ１５６）、工程を終了する。
【０１２６】
図２１は、本発明の実施の形態３に係る表示装置の制御部２０１が行うファン２２２の駆動処理の手順を示すフローチャートである。まず、制御部２０１は、バックライト３が点灯されているか否かを調べ（ステップＳ１７１）、バックライト３が点灯されていない場合には（Ｓ１７１：ＮＯ）、バックライト３が点灯されるまで待機する。バックライト３が点灯されている場合には（Ｓ１７１：ＹＥＳ）、ファン２２２の回転を開始する（ステップＳ１７２）。なお、制御部２０１は、ファン２２２の回転を停止させる場合にメモリ９に回転数を記憶するようにしてあり、ステップＳ１７２ではこの回転数を読み出してファン２２２を回転させるようにしてある。
【０１２７】
制御部２０１は、ファン２２２の回転数を変更する周期（所定時間）を計時する機能を有しており、ファン２２２の回転開始後、所定時間の計時を開始する（ステップＳ１７３）。その後、所定時間（例えば１０秒程度の時間）が経過したか否かを調べ（ステップＳ１７４）、所定時間が経過していない場合には（Ｓ１７４：ＮＯ）、バックライト３の輝度の検出結果である輝度センサ８の出力値を取得する（ステップＳ１７５）。制御部２０１は、輝度センサ８の出力値と、この出力値に対応する輝度でバックライト３が点灯された時間とを、メモリ９に点灯時間テーブルとして記憶しており、ステップＳ１７５にて輝度センサ８の出力値を取得した後、取得した出力値に対応する点灯時間を一定時間（輝度センサ８による輝度測定の周期）だけ増して、点灯時間テーブルの更新を行う（ステップＳ１７６）。点灯時間テーブルの更新を行った後は、ステップＳ１７４へ戻り、所定時間が経過するまで点灯時間テーブルの更新を繰り返し行う。
【０１２８】
ステップＳ１７４にて、所定の時間が経過した場合（Ｓ１７４：ＹＥＳ）、点灯時間テーブルを基に、所定時間に対して、輝度センサ８の各出力値にてバックライト３が点灯していた時間が占める割合をそれぞれ算出する（ステップＳ１７７）。次いで、メモリ９から駆動テーブル２１０を読み出して、各出力値に対するファン２２２の回転数を算出し（ステップＳ１７８）、各回転数をステップＳ１７７にて算出した割合で重み付けして、重み付けした回転数の合計値を算出する（ステップＳ１７９）。その後、算出した合計値に従ってファン２２２の回転数を変更する（ステップＳ１８０）。
【０１２９】
ファン２２２の回転数を変更した後、バックライト３が点灯されているか否かを調べ（ステップＳ１８１）、バックライト３が点灯されている場合には（Ｓ１８１：ＹＥＳ）、点灯時間テーブルに記憶されている点灯時間を初期化して（ステップＳ１８２）、ステップＳ１７３へ戻り、上述の処理を繰り返し行う。バックライト３が点灯されていない場合には（Ｓ１８１：ＮＯ）、ファン２２２の回転を停止し（ステップＳ１８３）、処理を終了する。
【０１３０】
なお、ファン２２２の回転数を変更する場合に回転数を下げるときには、一定の時間をかけて徐々に回転数を下げることが望ましい。これは、バックライト３の輝度が変化した後に、表示装置内部の温度が変化するまでに時間を要するためである。回転数を変化させるために必要な上述の一定時間は、表示装置の設計段階又は試作段階等に、バックライト３の輝度を低下させた場合の表示装置内部の温度変化を測定し、測定結果から見積もることが可能である。また、回転数を変更する場合に回転数を上げるときには、ファン２２２の回転数を即座に変更することが望ましい。また、ステップＳ１８３にてファン２２２の回転を停止する場合も同様に、一定時間をかけて徐々にファン２２２の停止を行うことが望ましい。
【０１３１】
以上の構成の実施の形態３に係る表示装置においては、バックライト３の輝度を検出する輝度センサ８の出力値から、バックライト３が発する熱による表示装置内部の温度上昇を推定し、推定される温度上昇を抑制するために必要な回転数でファン２２２を回転させることができるため、表示装置に温度センサなどのデバイスを追加することなく、温度上昇に最適なファン２２２の駆動を行うことができる。
【０１３２】
なお、実施の形態３においては、ファン２２２の回転数の変更を１０秒程度の所定の時間毎に行う構成としたが、これに限るものではなく、１０秒より長い時間毎に回転数の変更を行う構成としてもよく、また、１０秒より短い時間毎に回転数の変更を行う構成としてもよい。また、輝度センサ８の出力値を取得する毎に回転数の変更を行う構成としてもよい。また、表示装置が輝度センサ８を備えてバックライト３の輝度を検出する構成としたが、これに限るものではなく、例えば実施の形態１の変形例に示すように、管電流検出部８ａを備えてバックライト３の管電流を検出する構成としてもよい。
【０１３３】
なお、実施の形態３に係る表示装置のその他の構成は、実施の形態１に係る表示装置の構成と同様であるため、対応する箇所には同じ符号を付して詳細な説明を省略する。
【０１３４】
（実施の形態４）
図２２は、本発明の実施の形態４に係る表示装置の構成を示すブロック図である。実施の形態４にかかる表示装置は、実施の形態３にかかる表示装置が備える輝度センサ８を備えない構成である。バックライト３の輝度は、インバータ６から与えられる電圧・電流に応じて変化し、インバータ６が出力する電圧・電流は制御部３０１から与えられるＰＷＭ方式の制御信号に応じて変化する。よって、制御部３０１は、インバータ６へ与える制御信号のパルス幅からバックライト３の輝度を推定することができ、バックライト３が発する熱による周囲の温度の変化を推定することができる。
【０１３５】
メモリ９には、インバータ６へ与える制御信号のパルス幅とファン２２２の回転数との対応が駆動テーブル３１０に記憶されており、制御部３０１は、インバータ６へ与える制御信号のパルス幅及び駆動テーブル３１０からファン２２２の回転数を決定し、ファン駆動部２２１へ回転指令を与えるようにしてある。これは、制御信号のパルス幅からバックライト３の輝度を推定することができ、バックライト３の輝度により内部温度を推定することができ、推定した温度及びファン２２２の吸気・排気能力から、内部温度を所定の温度以下に低下させるために必要なファン２２２の回転数を推定することができるためである。
【０１３６】
図２３は、ファン２２２を駆動するための駆動テーブル３１０の作成工程を示すフローチャートである。まず、表示装置の設計段階又は試作段階等にて、ファン２２２の回転数に対する内部温度の変化量の特性（以下、”温度変化量−回転数”特性という）を測定する（ステップＳ２０１）。次いで、バックライト３の輝度に対する内部温度の特性（以下、”温度−バックライトの輝度”特性という）を測定する（ステップＳ２０２）。なお、バックライト３の輝度は、表示装置が備える輝度センサ８により測定したものではなく、より高精度の輝度測定計を用いて測定したものである。
【０１３７】
ステップＳ２０１にて得られた”温度変化量−回転数”特性から温度を所定の温度以下に冷却するために必要なファン２２２の回転数を算出することができ、この算出結果及びステップＳ２０２にて得られた”温度−バックライトの輝度”特性から、バックライト３の輝度に対するファン２２２の最適な回転数をテーブル（以下、”回転数−バックライトの輝度”テーブルという）を作成する（ステップＳ２０３）。
【０１３８】
次いで、インバータ６へ与える制御信号のパルス幅に対するバックライト３の輝度の特性（以下、”バックライトの輝度−パルス幅”特性という）を測定する（ステップＳ２０４）。なお、この測定は、バックライト３に個体差があるため、表示装置の製造工程、検査工程又は試験工程等にて行うものである。
【０１３９】
次いで、ステップＳ２０３にて作成した”回転数−バックライトの輝度”テーブル、及びステップＳ２０４にて得られた”バックライトの輝度−パルス幅”特性から、制御信号のパルス幅とファン２２２の回転数との対応を有するテーブル（以下、”回転数−パルス幅”テーブルという）を作成する（ステップＳ２０５）。その後、”回転数−パルス幅”テーブルを駆動テーブル３１０としてメモリ９に記憶させ（ステップＳ２０６）、工程を終了する。
【０１４０】
図２４は、本発明の実施の形態４に係る表示装置の制御部３０１が行うファン２２２の駆動処理の手順を示すフローチャートである。まず、制御部３０１は、バックライト３が点灯されているか否かを調べ（ステップＳ２２１）、バックライト３が点灯されていない場合には（Ｓ２２１：ＮＯ）、バックライト３が点灯されるまで待機する。バックライト３が点灯されている場合には（Ｓ２２１：ＹＥＳ）、ファン２２２の回転を開始する（ステップＳ２２２）。なお、制御部３０１は、ファン２２２の回転を停止させる場合にメモリ９に回転数を記憶するようにしてあり、ステップＳ２２２ではこの回転数を読み出してファン２２２を回転させるようにしてある。
【０１４１】
次いで、制御部３０１は、ユーザが操作部１１を操作するなどして輝度設定が変更され、インバータ６へ与える制御信号のパルス幅に変更が生じたか否かを調べる（ステップＳ２２３）。パルス幅に変更が生じた場合（Ｓ２２３：ＹＥＳ）、メモリ９から駆動テーブル３１０を読み出して（ステップＳ２２４）、変更したパルス幅に対応する回転数を駆動テーブル３１０を基に算出し（ステップＳ２２５）、算出結果に応じてファン２２２の回転数を変更する（ステップＳ２２６）。その後、ステップＳ２２３に戻り上述の処理を行う。
【０１４２】
ステップＳ２２３にて、制御信号のパルス幅に変更が生じていない場合（Ｓ２２３：ＮＯ）、更に、バックライト３が点灯しているか否かを調べ（ステップＳ２２７）、バックライト３が点灯している場合には（Ｓ２２７：ＹＥＳ）、ステップＳ２２３へ戻り、パルス幅に変更が生じるか、又はバックライト３が消灯されるかするまで待機する。バックライト３が点灯していない場合、即ち消灯された場合には（Ｓ２２７：ＮＯ）、ファン２２２の回転を停止し（ステップＳ２２８）、処理を終了する。
【０１４３】
なお、ステップＳ２２６にてファン２２２の回転数を変更する場合に回転数を下げるときには、一定の時間をかけて徐々に回転数を下げることが望ましい。また、回転数を変更する場合に回転数を上げるときには、ファン２２２の回転数を即座に変更することが望ましい。また、ステップＳ２２８にてファン２２２の回転を停止する場合も同様に、一定時間をかけて徐々にファン２２２の停止を行うことが望ましい。
【０１４４】
以上の構成の実施の形態４に係る表示装置においては、バックライト３の輝度を検出するための輝度センサ８又はバックライト３を流れる管電流を検出する管電流検出部８ａを備えていない場合であっても、制御部３０１がインバータ６へ与えるＰＷＭ方式の制御信号のパルス幅に応じてバックライト３の輝度を推定し、バックライト３が発する熱による表示装置内部の温度の変化を推定できるため、制御信号のパルス幅に応じてファン２２２の回転数を制御することができる。よって、温度センサなどのデバイスを追加することなく、温度上昇に最適なファン２２２の駆動を行うことができる。
【０１４５】
なお、実施の形態４においては、ファン２２２の回転数の変更を、インバータ６へ与える制御信号のパルス幅に変更が生じた場合に行う構成としたが、これに限るものではなく、実施の形態３と同様に、所定の時間毎に行う構成としてもよい。また、制御信号のパルス幅に応じてファン２２２の回転数の変更を行う構成としたが、これに限るものではなく、例えば制御信号のデューティー比に応じて回転数の変更を行う構成としてもよく、制御部３０１がインバータ６へバックライト３を駆動する電圧値又は電流値等を数値として与える場合には、この数値に応じて回転数の変更を行う構成としてもよく、また、ユーザが操作部１１により設定する輝度の設定から、制御部３０１がインバータ６へ与える制御信号が一意的に決定される場合には、ユーザが設定する輝度の設定に応じて回転数の変更を行う構成としてもよい。
【０１４６】
なお、実施の形態４に係る表示装置のその他の構成は、実施の形態３に係る表示装置の構成と同様であるため、対応する箇所には同じ符号を付して詳細な説明を省略する。
【図面の簡単な説明】
【０１４７】
【図１】本発明の実施の形態１に係る表示装置の構成を示すブロック図である。
【図２】水晶発振素子の動作特性の一例を示すグラフである。
【図３】水晶発振素子を用いた場合の計時処理に発生する時刻誤差の一例を示すグラフである。
【図４】時刻誤差を補正するための補正テーブルの作成工程を示すフローチャートである。
【図５】水晶発振素子の周囲温度に対する時刻補正値の一例を示すグラフである。
【図６】バックライトの輝度に対する水晶発振素子の周囲温度の特性の一例を示すグラフである。
【図７】バックライトの輝度に対する時刻補正値の一例を示すグラフである。
【図８】バックライトの輝度に対する輝度センサの出力値の特性の一例を示すグラフである。
【図９】”時刻補正値−輝度センサの出力値”テーブルの一例である。
【図１０】輝度センサの出力値に対する時刻補正値の一例を示すグラフである。
【図１１】”温度−バックライトの輝度”特性の測定手順を示すフローチャートである。
【図１２】”輝度センサの出力値−バックライトの輝度”特性の測定手順を示すフローチャートである。
【図１３】本発明の実施の形態１に係る表示装置の制御部が行う時刻補正の処理手順を示すフローチャートである。
【図１４】点灯時間テーブルの一例である。
【図１５】本発明の実施の形態１の変形例に係る表示装置の構成を示すブロック図である。
【図１６】本発明の実施の形態２に係る表示装置の構成を示すブロック図である。
【図１７】時刻誤差を補正するための補正テーブルの作成工程を示すフローチャートである。
【図１８】本発明の実施の形態２に係る表示装置の制御部が行う時刻補正の処理手順を示すフローチャートである。
【図１９】本発明の実施の形態３に係る表示装置の構成を示すブロック図である。
【図２０】ファンを駆動するための駆動テーブルの作成工程を示すフローチャートである。
【図２１】本発明の実施の形態３に係る表示装置の制御部が行うファンの駆動処理の手順を示すフローチャートである。
【図２２】本発明の実施の形態４に係る表示装置の構成を示すブロック図である。
【図２３】ファンを駆動するための駆動テーブルの作成工程を示すフローチャートである。
【図２４】本発明の実施の形態４に係る表示装置の制御部が行うファンの駆動処理の手順を示すフローチャートである。
【符号の説明】
【０１４８】
１、１ａ  制御部（バックライト駆動手段、処理手段、算出手段、補正手段）
２  液晶パネル（表示パネル）
３  バックライト
６  インバータ（バックライト駆動手段）
７  水晶発振素子（電気部品）
８  輝度センサ（検出手段）
８ａ  管電流検出部（検出手段）
９  メモリ（記憶手段）
１０、１０ａ  補正テーブル（対応情報）
１０１  制御部（バックライト駆動手段、処理手段、算出手段、補正手段）
１１０  補正テーブル（対応情報）
２０１  制御部（バックライト駆動手段、処理手段、算出手段、補正手段、冷却駆動手段）
２１０  駆動テーブル（対応情報）
２２１  ファン駆動部（冷却駆動手段）
２２２  ファン（冷却手段）
３０１  制御部（バックライト駆動手段、処理手段、算出手段、補正手段、冷却駆動手段）
３１０  駆動テーブル（対応情報）
【図１】
0004673772.tif 000004
【図２】
0004673772.tif 000005
【図３】
0004673772.tif 000006
【図４】
0004673772.tif 000007
【図５】
0004673772.tif 000008
【図６】
0004673772.tif 000009
【図７】
0004673772.tif 000010
【図８】
0004673772.tif 000011
【図９】
0004673772.tif 000012
【図１０】
0004673772.tif 000013
【図１１】
0004673772.tif 000014
【図１２】
0004673772.tif 000015
【図１３】
0004673772.tif 000016
【図１４】
0004673772.tif 000017
【図１５】
0004673772.tif 000018
【図１６】
0004673772.tif 000019
【図１７】
0004673772.tif 000020
【図１８】
0004673772.tif 000021
【図１９】
0004673772.tif 000022
【図２０】
0004673772.tif 000023
【図２１】
0004673772.tif 000024
【図２２】
0004673772.tif 000025
【図２３】
0004673772.tif 000026
【図２４】
0004673772.tif 000027